(57)【特許請求の範囲】
【請求項１】
ソース装置で暗号化された所定のフォーマットの映像信号および音声信号を復号化する受信部と、
前記復号化された映像信号および音声信号のうち少なくとも映像信号を再度暗号化してシンク装置に送出する送信部と、
音声信号処理部およびアンプ部を有する音声再生部と、
前記受信部、前記送信部および前記音声再生部の動作を制御すると共に、前記シンク装置から、前記シンク装置で処理可能な複数のフォーマットを定義する情報を入手し、この情報をメモリに格納する制御部とを備え、
前記制御部は、前記シンク装置で処理可能な映像信号のフォーマットと自己が処理可能な映像信号のフォーマットのうち重複するフォーマットを、新たに自己が処理可能な映像信号のフォーマットとして設定し、音声信号のフォーマットは、前記シンク装置から入手したフォーマットに関わらず自己が処理可能な音声信号のフォーマットを設定し、前記メモリに格納されたフォーマットを定義する情報を、前記新たに設定したフォーマットを定義する情報で置き換え、前記受信部で復号化した音声信号を、前記音声再生部に入力して音声として再生し、前記受信部で復号化した映像信号を、前記送信部に入力して再度暗号化し前記シンク装置に送出するリピータ装置。
【請求項２】
前記音声信号処理部で無音の音声信号を発生させ、前記送信部で映像信号と共に暗号化し、前記シンク装置に送出する請求項１に記載のリピータ装置。
【請求項３】
前記受信部はＨＤＭＩ規格に準拠した信号を受信可能であり、前記送信部はＨＤＭＩ規格に準拠した信号を送信可能である請求項１に記載のリピータ装置。
【請求項４】
前記映像信号及び音声信号のフォーマットを定義する情報はＥＤＩＤ規格に準拠した情報である請求項１に記載のリピータ装置。
【請求項５】
ソース装置で暗号化された所定のフォーマットの映像信号および音声信号を復号化した後、再度暗号化してシンク装置に送出するリピータ装置の制御方法であって、
前記シンク装置から、映像信号および音声信号について、前記シンク装置で処理可能な複数のフォーマットを定義する情報を入手し、
この情報と自己が処理可能なフォーマットを定義する情報とを解析し、
映像信号のフォーマットは、前記シンク装置で処理可能な映像信号のフォーマットと自己が処理可能な映像信号のうち、重複する映像信号のフォーマットを、新たに自己が処理可能な映像信号のフォーマットとして設定し、
音声信号のフォーマットは、前記入手した情報に関わらず自己が処理可能な音声信号のフォーマットを設定し、
前記復号化された映像信号および音声信号のうち音声信号は、リピータ装置が内蔵する音声再生部で音声として再生し、映像信号は再度暗号化して前記シンク装置に送出するリピータ装置の制御方法。
【請求項６】
映像信号を再度暗号化して前記シンク装置に送出する際に、無音の音声信号を映像信号と共に暗号化して前記シンク装置に送出する請求項５に記載のリピータ装置の制御方法。
【請求項７】
前記暗号化された映像信号および音声信号はＨＤＭＩ規格に準拠した信号である請求項５に記載のリピータ装置の制御方法。
【請求項８】
前記映像信号および音声信号のフォーマットを定義する情報はＥＤＩＤ規格に準拠した情報である請求項５に記載のリピータ装置の制御方法。
【発明の詳細な説明】
【技術分野】
【０００１】
本発明は、デジタル映像信号および音声信号を伝送するためのインタフェースを搭載し、ホームネットワークを構築するために映像・音声信号を中継するリピータ装置に関するものである。
【背景技術】
【０００２】
近年、主として民生用途の映像・音響装置の分野において、ＤＶＤプレーヤなどの出力装置とディスプレイなどの受信装置をネットワークで結び、出力装置から再生出力されたコンテンツを出力装置で視聴することが一般化してきた。
【０００３】
また、上記出力装置と受信装置の間でデジタル映像信号や音声信号を伝送するためのインタフェース規格として、「Ｈｉｇｈ−Ｄｅｆｉｎｉｔｉｏｎ  Ｍｕｌｔｉｍｅｄｉａ Ｉｎｔｅｒｆａｃｅ」（非特許文献１参照、以降「ＨＤＭＩ」と呼ぶ）という規格が制定されている。
【０００４】
このＨＤＭＩ規格は、映像データや音声データを非圧縮の状態で高品位に伝送することが可能であり、また音声データは、映像信号のブランキング期間に重畳されて映像信号と同時に伝送されるため（以降、この信号をＨＤＭＩ信号と呼ぶ）、従来のように音声出力端子を映像出力端子と別にする必要がない等の利点を有する。更に転送中のＨＤＭＩ信号は暗号化されて著作権の保護が図られているため、今後広く普及するものと思われる。
【０００５】
基本的に、ＨＤＭＩでは、ＨＤＭＩ規格に準拠したケーブル（以降、ＨＤＭＩケーブルと呼ぶ）を介して複数の装置を直列に接続し、これらの装置間を一方向に信号を伝送するように構成されている。各装置は、
（１）信号を送出する「Ｓｏｕｒｃｅ」（以降、ソース装置と呼ぶ）、
（２）信号を受信する「Ｓｉｎｋ」（以降、シンク装置と呼ぶ）、
（３）ソース装置とシンク装置の間に配置され、信号を受信する能力と再送出する能力を備えており、１入力／１出力か、複数入力／複数出力の構成でソース装置やシンク装置を選択するセレクタ機能等も備えた「Ｒｅｐｅａｔｅｒ」（以降、リピータ装置と呼ぶ）
の３つの装置に分類される。
【０００６】
なお、リピータ装置は、単純に信号をパススルーするのではなく、同一装置内にシンク装置とソース装置の両方の能力を備えており、受信したＨＤＭＩ信号を復号化して映像信号と音声信号を再生し、これを再びＨＤＭＩ信号に変換して再送出する機能を有する。
【０００７】
リピータ装置はセレクタとしての用途だけではなく、例えば、リピータ装置自身に音声を再生出力する能力を備えて、ＤＶＤプレーヤなどのソース装置から受信した音声信号を自身の音声再生装置で出力し、映像信号をシンク装置に再送出してディスプレイに表示するなどの、ホームシアターシステムを構築する装置の一つとしても利用可能である。
【０００８】
なお、シンク装置は、映像信号および音声信号のフォーマットを定義する情報である「Ｅｘｔｅｎｄｅｄ Ｄｉｓｐｌａｙ Ｉｄｅｎｔｉｆｉｃａｔｉｏｎ Ｄａｔａ」（非特許文献２参照、以降「ＥＤＩＤ」と呼ぶ）という情報を少なくとも有しており、ソース装置は、ＨＤＭＩケーブル内のＤＤＣと呼ばれるシリアルの信号線を介してシンク装置のＥＤＩＤ情報を読み出して参照することができる。
【０００９】
ＥＤＩＤ情報は、シンク装置が受信した後再生することが可能な映像信号および音声信号のフォーマットに関する情報である。ソース装置は、このＥＤＩＤ情報を利用することで、接続されたシンク装置に応じて自動的に最適なフォーマットを決定して信号を送出することが可能となる。
【００１０】
例えば、ＥＤＩＤ情報が、「映像信号のフォーマットは４８０ｐと１０８０ｉに対応、音声信号のフォーマットはリニアＰＣＭ形式の２チャンネルでサンプリング周波数１９２ｋＨｚまで対応」といった内容であれば、ソース装置は「７２０ｐは使用しない、音声は４８ｋＨｚで制限をかけずに１９２ｋＨｚまで出力する」といった動作をすることが可能である。
【００１１】
従って、リピータ装置は、前述の仕組みを確保するために、リピータ装置に接続されたシンク装置のＥＤＩＤ情報を自身のＥＤＩＤ情報としてソース装置で参照できるような制御を行う必要がある。
【００１２】
なお、上記した４８０ｐや１０８０ｉ、７２０ｐは映像信号の表示フォーマットを表し、数字は走査線の本数、ｐはプログレッシブ走査であること、ｉはインターレース走査であることを表す。
【非特許文献１】「Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．１」２００４年
【非特許文献２】「ＥＮＨＡＮＣＥＤ  ＥＸＴＥＮＤＥＤ  ＤＩＳＰＬＡＹ  ＩＤＥＮＴＩＦＩＣＡＲＴＩＯＮ  ＤＡＴＡ  ＳＴＡＮＤＡＲＤ  Ｒｅｌｅａｓｅ  Ａ，Ｒｅｖｉｓｉｏｎ  １  ＶＥＳＡ，」２００２年
【発明の開示】
【発明が解決しようとする課題】
【００１３】
上述したリピータ装置の制御、すなわち接続されたシンク装置のＥＤＩＤ情報を自身のＥＤＩＤ情報としてソース装置が参照できるようにする制御において、ＨＤＭＩ信号を受信し送出する際に、使用するＬＳＩなどのデバイスの制約により、接続されたシンク装置が処理可能なフォーマットの一部をリピータ装置が処理できない場合がある。
【００１４】
このような場合、シンク装置のＥＤＩＤ情報をそのままリピータ装置自身のＥＤＩＤ情報として使用すると、ソース装置が参照したＥＤＩＤ情報に基づいて出力した信号をリピータ装置が処理できないため、シンク装置が処理可能なフォーマットで映像信号や音声信号が伝送されない事態が発生する。
本発明は上記従来の問題点を解決し、シンク装置およびリピータ装置のいずれもが処理可能なフォーマット情報をソース装置に提示できるリピータ装置を提供することを目的とする。
【課題を解決するための手段】
【００１５】
上記目的を達成するため本発明のリピータ装置は、
ソース装置で暗号化された所定のフォーマットの映像信号および音声信号を復号化する受信部と、
前記復号化された映像信号および音声信号のうち少なくとも映像信号を再度暗号化してシンク装置に送出する送信部と、
前記受信部および前記送信部の動作を制御すると共に、前記シンク装置から、前記シンク装置で処理可能な複数のフォーマットを定義する情報を入手し、この情報をメモリに格納する制御部とを備え、
前記制御部は、前記シンク装置で処理可能なフォーマットと自己が処理可能なフォーマットのうち重複するフォーマットを、新たに自己が処理可能なフーマットとして設定し、前記メモリに格納されたフォーマットを定義する情報を、前記新たに設定したフォーマットを定義する情報で置き換えるものである。
【００１６】
本発明のリピータ装置において、少なくとも音声信号処理部とアンプ部を有する音声再生部を更に備え、前記受信部で復号化した音声信号を、前記音声再生部に入力して音声として再生し、前記受信部で復号化した映像信号を、前記送信部に入力して再度暗号化し前記シンク装置に送出するようにしても良い。
【００１７】
同様に、前記音声信号処理部で無音の音声信号を発生させ、前記送信部で映像信号と共に暗号化し、前記シンク装置に送出するようにしても良い。
【００１８】
また本発明のリピータ装置において、前記受信部はＨＤＭＩ規格に準拠した信号を受信可能であり、前記送信部はＨＤＭＩ規格に準拠した信号を送信可能であることが好ましい。同様に、前記映像信号及び音声信号のフォーマットを定義する情報はＥＤＩＤ規格に準拠した情報であることが好ましい。
【００１９】
また本発明のリピータ装置の制御方法は、
ソース装置で暗号化された所定のフォーマットの映像信号および音声信号を復号化した後、再度暗号化してシンク装置に送出するリピータ装置の制御方法であって、
前記シンク装置から、映像信号および音声信号の少なくとも一方について、前記シンク装置で処理可能な複数のフォーマットを定義する情報を入手し、この情報と自己が処理可能なフォーマットを定義する情報とを解析し、重複するフォーマットを、新たに自己が処理可能なフーマットとして設定するものである。
【発明の効果】
【００２０】
本発明のリピータ装置は、どのような能力を有するシンク装置がリピータ装置に接続されても、ソース装置には、接続されたシンク装置の能力として、リピータ装置が処理可能な範囲内の映像信号及び音声信号のフォーマットのみを認識させることが可能であるため、ソース装置は、シンク装置の能力に応じて自動的に最適なフォーマットを決定して信号を出力することができる。
【発明を実施するための最良の形態】
【００２１】
以下、本発明の実施の形態について、図面を参照しながら説明する。
（実施の形態１）
図１は、本発明の実施の形態１におけるリピータ装置を用いたホームシアターシステムの構成を示すブロック図である。
【００２２】
ホームシアターシステムは、ソース装置１００、リピータ装置２００およびシンク装置３００で構成されており、ソース装置１００とシンク装置３００との間にリピータ装置２００を配置し、それぞれの間を、デジタル映像信号および音声信号を伝送するためのインタフェース、具体的にはＨＤＭＩ規格に準拠したインタフェースを介して接続している。本実施の形態では、ソース装置１００から送出される映像信号と音声信号のうち、映像信号はシンク装置３００のディスプレイ部に表示され、音声信号はリピータ装置２００の音声再生部で、例えば、５．１ｃｈサラウンドシステムにより音声として出力される。
【００２３】
以下、各装置の構成と動作について説明する。
ソース装置１００は、制御部１１０、コンテンツ信号処理部１２０およびＨＤＭＩ送信部１３０で構成され、光ディスク等から出力された映像信号および音声信号は、制御部１１０による制御に従い、コンテンツ信号処理部１２０でデータ伸張等の処理を施され、ＨＤＭＩ送信部１３０において、映像信号に音声信号が重畳され、更に暗号化されてＨＤＭＩ信号となった後、ＨＤＭＩケーブル４００を通ってリピータ装置２００に送出される。
【００２４】
リピータ装置２００は、制御部２１０、ＨＤＭＩ受信部２２０、ＨＤＭＩ送信部２３０および音声再生部２４０で構成され、ＨＤＭＩ受信部２２０、ＨＤＭＩ送信部２３０および音声再生部２４０はそれぞれ制御部２１０によって制御される。
【００２５】
ソース装置１００から送出されたＨＤＭＩ信号は、ＨＤＭＩ受信部２２０で復号化されると共に映像信号と音声信号に分離される。
このうち音声信号については、リピータ装置２００に内蔵された音声再生部２４０で音声として出力される。音声再生部２４０は、音声信号処理部２４１とアンプ部２４２、外付けのスピーカ２４３によって構成され、例えば、５．１ｃｈサラウンドシステムで再生する場合には、音声信号処理部２４１で音声信号に必要な処理を施した後、アンプ部２４２で音声信号を増幅し、外付けのスピーカ２４３から出力する。
【００２６】
一方、映像信号は、音声信号処理部２４１で生成された再送出用音声信号とともにＨＤＭＩ送信部２３０に入力し、ここで再びＨＤＭＩ信号に変換された後、シンク装置３００へ送出される。
【００２７】
シンク装置３００は、制御部３１０、ＨＤＭＩ受信部３２０および映像・音声再生部３３０で構成され、ＨＤＭＩ受信部３２０および映像・音声再生部３３０は制御部３１０によって制御される。ＨＤＭＩ受信部３２０に入力されて復号化された映像信号は、映像信号処理部３３１で処理された後ディスプレイ部３３２に表示される。
【００２８】
なお、映像・音声再生部３３０の音声信号処理部３３３、アンプ部３３４および内蔵スピーカ３３５は、シンク装置３００で音声を再生する場合に用い、機能的には、リピータ装置２００の音声信号処理部２４１、アンプ部２４２および外付けスピーカ２４３と同じであるが、本実施の形態ではリピータ装置２００の外付けスピーカ２４３で音声の再生を行うため、ここでは説明を省略する。
【００２９】
ソース装置１００とリピータ装置２００、リピータ装置２００とシンク装置３００はＨＤＭＩケーブル３００で接続されている。ＨＤＭＩケーブル３００には、少なくともＨＤＭＩ信号線４０１とＤＤＣ４０２、ＨｏｔＰｌｕｇ信号線４０３が含まれる。ＨＤＭＩ信号線４０１は映像信号と音声信号が重畳されたＨＤＭＩ信号の転送に用いられる。ＤＤＣ４０２は、映像信号および音声信号のフォーマットを定義する情報であるＥＤＩＤ情報の転送に用いられる。一方、ＨｏｔＰｌｕｇ信号線４０３は、ＨＤＭＩ送信部およびＨＤＭＩ受信部を介して各装置の制御部と接続されており、装置間がＨＤＭＩケーブルで接続され、シンク装置のＥＤＩＤ情報が読み出し可能な状態である場合にはＨｉｇｈの信号が流され、接続が外された場合にＬｏｗの信号が流される。
【００３０】
本実施の形態において、リピータ装置２００およびシンク装置３００は、ＥＤＩＤ受信部２２０、３２０内に映像信号や音声信号のフォーマットを定義する情報であるＥＤＩＤ情報を記憶するメモリ２２１および３２１を備えている。またリピータ装置２００の制御部２１０は、ＤＤＣ４０２を介してシンク装置３００のメモリ３２１から、シンク装置３００が処理可能な映像信号および音声信号のフォーマットを定義するＥＤＩＤ情報を読み出し、読み出したＥＤＩＤ情報とリピータ装置２００のメモリ２２１に格納されたＥＤＩＤ情報とを解析・編集し、再構築したＥＤＩＤ情報をメモリ２２１に格納する機能を備えている。
【００３１】
一方、ソース装置１００の制御部１１０は、ＤＤＣ４０２を介してリピータ装置２００のメモリ２２１からＥＤＩＤ情報を読み出して参照し、ソース装置１００に接続された装置が処理可能なフォーマットを認識して、送出する映像信号および音声信号のフォーマットを決定する際の判断材料として利用している。このメモリ２２１に格納されるＥＤＩＤ情報は、リピータ装置２００の制御部２１０によって書き込まれる。
【００３２】
図２は、ソース装置１００、リピータ装置２００およびシンク装置３００の各装置で処理可能な映像信号のフォーマットを示したものである。本実施の形態では、ソース装置１００はＡ、Ｂ、Ｃ、Ｄ、Ｅの５つのフォーマットを処理可能、リピータ装置２００はＢ、Ｃ、Ｄの３つのフォーマットを処理可能、シンク装置３００はＡ、Ｂ、Ｄの３つのフォーマットを処理可能とする。
【００３３】
ここで、例えばＡのフォーマットを１０８０ｉとした場合、Ａのフォーマットを処理可能とは、ソース装置１００においては、コンテンツ信号処理部１２０において光ディスク等の記録媒体から映像信号を１０８０ｉのフォーマットで再生
できることを言う。またリピータ装置２００においては、ソース装置１００から送られてきたＨＤＭＩ信号をＨＤＭＩ受信部２２０で１０８０ｉのフォーマットの映像信号に再生した後、再度ＨＤＭＩ送信部２３０でＨＤＭＩ信号に変換して送出できることを言う。同様にシンク装置においては、リピータ装置２００から送られてきたＨＤＭＩ信号をＨＤＭＩ受信部３２０で１０８０ｉのフォーマットの映像信号に再生した後、ディスプレイ部３３２に表示できることを言う。
【００３４】
リピータ装置２００のメモリ２２１に格納する情報として、図２の（ａ）で示すように、シンク装置３００のメモリ３２１に格納された、フォーマットＡ・Ｂ・Ｄを定義するＥＤＩＤ情報３１を、そのままリピータ装置２００のＥＤＩＤ情報２１としてメモリ２２１に格納した場合には、リピータ装置２００はフォーマットＡが処理できないにも関わらず、ソース装置１００は接続された装置がフォーマットＡを処理可能と認識してしまう。
【００３５】
そこで、図２の（ｂ）に示すように、リピータ装置２００の制御部２１０は、シンク装置３００のＥＤＩＤ情報３１を読み出して解析し、リピータ装置２００が処理できないフォーマットＡのＥＤＩＤ情報を削除する編集を行ってＥＤＩＤ情報を再構築し、リピータ装置２００とシンク装置３００の双方が対応できるフォーマットＢ・Ｄを定義する情報に変えてから、それをリピータ装置２００のＥＤＩＤ情報２２とすることで、ソース装置１００は、接続された装置がフォーマットＡに対応していないことを認識できる。
【００３６】
次に、図３は、ソース装置１００、リピータ装置２００およびシンク装置３０  ０の各装置で処理可能な音声信号のフォーマットを示したものである。本実施の  形態では、ソース装置１００およびリピータ装置２００は、ＰＣＭ形式 ２ＣＨ  ，サンプリング周波数３２〜１９２ｋＨｚのフォーマットＧを処理可能、シンク  装置３００は、ＰＣＭ形式 ２ＣＨ、サンプリング周波数４８ｋＨｚのフォーマ  ットＦを処理可能とする。
【００３７】
本実施の形態においては、リピータ装置２００の音声再生部２４０で音声の再生を行うため、ソース装置１００において光ディスク等に記憶された音声信号をフォーマットＧに含まれるサンプリング周波数で再生した後、ＨＤＭＩ送信部１３０でＨＤＭＩ信号に変換してリピータ装置２００に送出する。リピータ装置２００では、入力したＨＤＭＩ信号をＨＤＭＩ受信部２２０で復号化して音声信号を再生し、音声再生部２４０の外付けスピーカ２４３から音声を再生する。
【００３８】
図３の（ａ）で示すように、シンク装置３００が処理可能なフォーマットＦは、ＰＣＭ形式 ２ＣＨ、サンプリング周波数４８ｋＨｚであるため、図２の（ａ）と同様にして、リピータ装置２００のＥＤＩＤ情報２３としてシンク装置３００のＥＤＩＤ情報３２をそのまま格納すると、リピータ装置２００の処理可能なフォーマットＧがＰＣＭ形式 ２ＣＨ，サンプリング周波数３２〜１９２ｋＨｚであるにもかかわらず、ソース装置１００からはフォーマットＦでしか送出されないことになる。
【００３９】
そこで、図３の（ｂ）で示すように、リピータ装置２００はシンク装置３００のＥＤＩＤ情報３２を認識しても、ソース装置１００に参照させる自身のＨＤＭＩ情報２４については、フォーマットＧを定義する情報を格納する。ソース装置１００はメモリ２２１にフォーマットＧを定義するＥＤＩＤ情報が格納されていることを認識し、音声信号をフォーマットＧで再生することで、リピータ装置２００の音声再生部２４０の能力を十分活用した音声再生が可能となる。
【００４０】
以上説明したように、リピータ装置２００の制御部２１０は、シンク装置３００のメモリ３２１よりＥＤＩＤ情報を読み出し、図２と図３で示す方法によって情報を解析・編集し、再構築してからリピータ装置２００自身のＥＤＩＤ情報としてメモリ２２１に格納することで、リピータ装置２００とシンク装置３００が共に処理可能な映像フォーマットをソース装置１００に認識させることができる。
【００４１】
図４は、リピータ装置２００におけるＥＤＩＤ情報の編集処理を示すフローチャートである。以下、図４を参照して、ＥＤＩＤ情報の編集について説明する。
最初に、リピータ装置２００の制御部２１０は、ＨｏｔＰｌｕｇ信号線４０３によりシンク装置３００が接続されたのを検出する（ステップＳ１）。制御部２１０は、シンク装置３００の接続を検出したら（Ｓ１のＹＥＳ）、ＨｏｔＰｌｕｇ信号線１５をＬｏｗレベルに設定して、リピータ装置２００のＥＤＩＤ情報が変更される可能性があるためＥＤＩＤ情報の読み出しができないことをソース装置１００に知らせる（Ｓ２）。その後、シンク装置３００のメモリ３２１から映像信号と音声信号のＥＤＩＤ情報３１・３２を読み出し（Ｓ３）、このＥＤＩＤ情報３１・３２を解析してシンク装置３００が処理可能な映像信号と音声信号のフォーマットを確認する（Ｓ４）。
【００４２】
次に、シンク装置３００が処理可能な映像信号のフォーマットの中にリピータ装置２００が処理できないフォーマットが含まれている場合には（Ｓ５のＹＥＳ）、対応するＥＤＩＤ情報を削除する（Ｓ６）。リピータ装置２００が処理できないフォーマットが含まれていない場合（Ｓ５のＮＯ）およびステップＳ６でのＥＤＩＤ情報の編集が終了した後、制御部２１０は、音声信号のフォーマットに関するＥＤＩＤ情報をリピータ装置２００の音声再生部２４０で処理可能なフォーマットに関する情報に更新する（Ｓ７）。制御部２１０は、このようにして更新した映像信号と音声信号のフォーマットに関する情報でＥＤＩＤ情報を再構築してＥＤＩＤ情報２２・２４とし（Ｓ８）、リピータ装置２００のメモリ２２１に格納する（Ｓ９）。
【００４３】
最後に、制御部２１０は、ソース装置１００の制御部１１０にリピータ装置２００のＥＤＩＤ情報が読み出し可能になったことを通知するために、ＨｏｔＰｌｕｇ信号線４０３をＨｉｇｈレベルに戻す（Ｓ１０）。以降、シンク装置３００の接続状態が変動した場合には、その都度、ステップＳ１より各処理を実行する。
【００４４】
なお、本実施の形態においては、リピータ装置２００で音声信号の再生を行い、シンク装置３００では映像信号の再生のみを行うため、リピータ装置２００は音声信号をシンク装置３００に送出する必要がない。このような場合、シンク装置３００の制御部３１０に指示してスピーカ３３５から音声が再生されないようアンプ部３３４からの出力をミュートするのが一般的であるが、リピータ装置２００の音声信号処理部２４１内に切換スイッチ（図示せず）を設け、制御部２１０が音声信号処理部２４１に指令して前記切換スイッチを操作し、音声信号を無音として出力することも可能である。
【００４５】
このように本実施の形態によれば、シンク装置で映像信号を再生する場合に、ソース装置に対し、シンク装置およびリピータ装置の双方が処理可能なフォーマットを定義するＥＤＩＤ情報を与えることができるため、ソース装置は、接続されたリピータ装置とシンク装置が処理可能なフォーマットから最適なフォーマットを自動的に決定し、そのフォーマットに従った映像信号を出力することができる。
（実施の形態２）
【００４６】
図５は本発明の実施の形態２のリピータ装置におけるＥＤＩＤ情報の編集処理を示すフローチャートである。本実施の形態では、音声の再生をリピータ装置２００の外付けスピーカ２４３ではなく、シンク装置３００の内蔵スピーカ３３５から行う点で実施の形態１と異なっている。それ以外の点については実施の形態１と同様であり、ホームシアターシステムの構成も図１と変わらないため、以下、図１と図５を参照して本実施の形態の動作を説明する。
【００４７】
図５において、図４と同一の処理を行うステップには同一符号を付す。図４と異なる点は、図４のステップＳ７を除き、代わりにステップＳ６とＳ８の間にステップＳ１１とＳ１２を加えた点である。
【００４８】
最初に、リピータ装置２００の制御部２１０は、ＨｏｔＰｌｕｇ信号線４０３によりシンク装置３００が接続されたのを検出する（ステップＳ１）。制御部２１０は、シンク装置３００の接続を検出したら（Ｓ１のＹＥＳ）、リピータ装置２００のＥＤＩＤ情報が変更される可能性があるため、ＨｏｔＰｌｕｇ信号線１５をＬｏｗレベルにしてＥＤＩＤ情報の読み出しができないことをソース装置１００に知らせる（Ｓ２）。その後、シンク装置３００のメモリ３２１から映像信号と音声信号のＥＤＩＤ情報３１・３２を読み出し（Ｓ３）、このＥＤＩＤ情報３０・３１を解析してシンク装置３００が処理可能な映像信号と音声信号のフォーマットを確認する（Ｓ４）。
【００４９】
ステップＳ５において、制御部２１０は、シンク装置３００が処理可能な映像信号のフォーマットにリピータ装置２００が処理できないフォーマットが含まれる場合には（Ｓ５のＹＥＳ）、対応するＥＤＩＤ情報を削除する（Ｓ６）。ここまでの処理は図４と同様である。
【００５０】
次に、シンク装置３００が処理可能な音声信号のフォーマットの中にリピータ装置２００が処理できないものが含まれている場合には（Ｓ１１のＹＥＳ）、映像信号の場合と同様に、制御部２１０は、処理できないフォーマットに関するＥＤＩＤ情報を削除する（Ｓ１２）。一方、音声信号のフォーマットについてリピータ装置２００が対応できないものがない場合には、更新した映像信号と音声信号のフォーマットを定義する情報でＥＤＩＤ情報を再構築し（Ｓ９）、リピータ装置２００のメモリ２２１に格納する。
【００５１】
最後に、制御部２１０は、ＨｏｔＰｌｕｇ信号線４０３をＨｉｇｈレベルに戻して、ソース装置１００にリピータ装置２００のＥＤＩＤ情報が読み出し可能になったことを通知する。以降、シンク装置２００の接続状態が変動した場合には、その都度、ステップＳ１より各処理を実行する。
【００５２】
このように本実施の形態によれば、シンク装置が映像信号のみならず音声信号も再生する場合に、シンク装置及びリピータ装置のいずれもが処理可能な映像信号および音声信号のフォーマットを定義するＥＤＩＤ情報をソース装置に与えることができるため、ソース装置は、接続されたリピータ装置とシンク装置に対応して自動的に最適なフォーマットを決定し、そのフォーマットに従った映像信号と音声信号を出力することができる。
【００５３】
なお、上記各実施の形態で説明した映像信号および音声信号のフォーマットや、映像信号や音声信号のフォーマットを定義するＥＤＩＤ情報、更にインタフェースの形式等は一例であり、これらのものに限定されないことは云うまでもない。
【００５４】
同様に、上記各実施の形態において、ＥＤＩＤ情報を格納するメモリをＨＤＭＩ受信部内に設けたが、これに限定されるものではなく、例えば制御部内に設けても良い。
【００５５】
また、実施の形態１においては、リピータ装置が音声再生手段を持ち、シンク装置には映像信号を送ったが、逆に、リピータ装置自身がディスプレイ等の映像再生手段を持ち、シンク装置に音声信号を送るようにしても良い。ここで、音声信号をシンク装置に送る場合は、音声信号が映像信号のクロックを使用している関係上、映像信号も同時に送出する必要があり、例えば黒画面の信号であっても良い。
【産業上の利用可能性】
【００５６】
本発明のリピータ装置によれば、映像信号の全てのフォーマットに対応した デジタル信号受信用ＬＳＩや送信用ＬＳＩを必要とせず、またリピータ装置内で映像信号や音声信号のフォーマットを変換する必要もない。更に、どのようなシンク装置が接続された場合においても、ソース装置には処理可能な映像信号や音声信号のフォーマットを認識させることができるため、産業上の利用可能性の高いものである。
【図面の簡単な説明】
【００５７】
【図１】図１は、本発明の実施の形態１におけるホームシアターシステムの構成を示すブロック図である。
【図２】図２は、同実施の形態１における各装置が処理可能な映像信号のフォーマットを示す説明図である。
【図３】図３は、同実施の形態１における各装置が処理可能な音声信号のフォーマットを示す説明図である。
【図４】図４は、同実施の形態１におけるＥＤＩＤ情報の編集処理を示すフローチャートである。
【図５】図５は、本発明の実施の形態２におけるＥＤＩＤ情報の編集処理を示すフローチャートである。
【図１】
0004753880.tif 000002
【図２】
0004753880.tif 000003
【図３】
0004753880.tif 000004
【図４】
0004753880.tif 000005
【図５】
0004753880.tif 000006